(57)【要約】 【課題】  消費電流が急激に増加したときの出力電圧のオーバーシュートを防止することができる電源回路および電子機器を提供する。【解決手段】  出力電流ＩＯＵＴが予め定める電流値以上に増加したことを示す検出信号Ｓ１がＨレベルになると、Ｏｎｅ  Ｓｈｏｔ  Ｐｕｌｓｅ生成回１６１は、パルス幅Ｔ１の期間Ｈレベルとなるパルス信号Ｓ２を出力する。トランジスタＴｒ２は、増加検出信号Ｓ１がＨレベルの期間導通状態となるので、比較電圧ＶＲは、基準電圧ＶＲＥＦより低い電圧に低下する。出力電流ＩＯＵＴが急増したとき、出力電圧ＶＯＵＴは急減するが、比較電圧ＶＲも低下するので、帰還電圧ＶＦＢと比較電圧ＶＲとの差が小さくなる。したがって、エラーアンプ１３が出力する誤差信号は小さくなり、トランジスタＴｒ１が出力する電流も小さくなるので、出力電圧ＶＯＵＴは、所定の電圧を超えることはなく、オーバーシュートは発生しない。【選択図】      図３
2010246294.tif 000002
【特許請求の範囲】
【請求項１】
電源の電圧が入力される入力部と、
負荷が接続され、接続される負荷に出力電圧を出力する出力部と、
出力部から出力すべき目標電圧を生成し、負荷が消費する消費電流が増加したとき、増加した時点から少なくとも予め定める期間、消費電流が増加した時点以前での目標電圧より低い電圧の目標電圧を生成する目標電圧生成部と、
目標電圧生成部によって生成される目標電圧と出力部から出力される出力電圧との差に基づいて、入力部に入力される電圧を目標電圧生成部によって生成される目標電圧に一致するように変換し、変換した電圧を出力部から出力させる変換部とを含むことを特徴とする電源回路。
【請求項２】
前記目標電圧生成部は、前記出力部から出力される出力電流の電流値が予め定める電流値より大きくなったことを検出する電流検出部を含み、電流検出部が前記出力部から出力される出力電流の電流値が予め定める電流値より大きくなったことを検出したとき、負荷が消費する消費電流が増加したものと判断することを特徴とする請求項１に記載の電源回路。
【請求項３】
前記目標電圧生成部は、負荷が消費する消費電流が予め定める電流値以下である第１の状態から、消費電流が予め定める電流値より大きい電流値である第２の状態に切り換える切換信号が指示されたとき、負荷が消費する消費電流が増加したものと判断することを特徴とする請求項１に記載の電源回路。
【請求項４】
前記目標電圧生成部は、前記入力部に電源の電圧が入力されると、目標電圧をグランドレベルから予め定める電圧まで予め定める時定数で上昇させることを特徴とすることを特徴とする請求項１〜３のいずれか１つに記載の電源回路。
【請求項５】
電源の電圧が入力される入力部と、
負荷が接続され、接続される負荷に電圧を出力する出力部と、
予め定める目標電圧と出力部から出力される出力電圧との差に基づいて、入力部に入力された電圧を予め定める目標電圧に一致するように変換し、変換した電圧を出力部から出力させる変換部と、
負荷が消費する消費電流が増加したとき、消費電流が増加する時点から少なくとも予め定める抑止期間、前記変換部による変換を抑止する変換抑止部とを含むことを特徴とする電源回路。
【請求項６】
請求項１〜５のいずれか１つに記載の電源回路を備えていることを特徴とする電子機器。
【発明の詳細な説明】
【技術分野】
【０００１】
本発明は、過電圧から負荷を保護することができる電源回路および電子機器に関する。
【背景技術】
【０００２】
レギュレータ回路などの電源回路は、入力電圧の起動時あるいは変動時、または負荷の消費電流の変動時に、出力電圧にオーバーシュートが発生することがある。
【０００３】
図１は、従来の技術によるレギュレータ回路９０の構成を示す図である。レギュレータ回路９０は、入力端子１１に入力される電源８の電圧を所定の電圧に変換し、変換した電圧を出力端子１２から出力する電源回路である。出力端子１２には、図示しない負荷が接続され、出力電流ＩＯＵＴが負荷に供給される。制御回路９１は、エラーアンプ１３が出力する誤差信号に基づいて、スイッチングトランジスタなどで構成されるスイッチ２１を導通または遮断して、チョークコイル２４を介してコンデンサＣＯＵＴを充電する。スイッチ２１とチョークコイルとの接続点には、アノードがグランドに接続されるダイオードのカソードが接続されている。
【０００４】
基準電圧生成回路１４は、入力端子１１に入力される電圧に基づいて基準電圧ＶＲＥＦを生成する。基準電圧生成回路１４によって生成された基準電圧ＶＲＥＦは、オーバーシュート防止用ＲＣフィルタ９２を介して、比較電圧ＶＲとして、エラーアンプ１３の反転入力端子に入力される。エラーアンプ１３の非反転入力端子には、出力電圧ＶＯＵＴを抵抗素子Ｒ１，Ｒ２で分圧した帰還電圧ＶＦＢが入力される。オーバーシュート防止用ＲＣフィルタ９２は、基準電圧生成回路１４の出力とエラーアンプ１３の反転入力端子との間に直列に接続される抵抗素子ＲＦと、一端がエラーアンプ１３の反転入力端子に接続され、他端がグランドに接続されるコンデンサＣＦとから構成される。エラーアンプ１３は、帰還電圧ＶＦＢと比較電圧ＶＲとの差を増幅した誤差信号を出力し、制御回路９１に送る。
【０００５】
図２は、レギュレータ回路９０の動作を説明するためのタイムチャートである。電源８の電圧が時刻ｔ１に入力端子１１に入力されたとき、入力端子１１の電圧ＶＩＮは、０Ｖから電源８の電圧まで速やかに上昇する。基準電圧生成回路１４の出力は、時刻ｔ１に０Ｖから基準電圧ＶＲＥＦまで速やかに上昇するが、オーバーシュート防止用ＲＣフィルタ９２を介した比較電圧ＶＲは、抵抗素子ＲＦの抵抗値とコンデンサＣＦの容量とで決まる時定数で０Ｖから基準電圧ＶＲＥＦと同じ電圧まで緩やかに上昇する。
【０００６】
エラーアンプ１３の反転入力端子に入力される比較電圧ＶＲが、抵抗素子ＲＦの抵抗値とコンデンサＣＦの容量とで決まる時定数で緩やかに上昇するので、出力電圧ＶＯＵＴも緩やかに上昇しようとする。このとき、負荷への突入電流のために、図２のＡ部に示すように、一次的にＶＯＵＴは上昇するが、比較電圧ＶＲが緩やかに上昇しているので、出力電圧ＶＯＵＴ自身の上昇速度も抑えられ、出力電圧ＶＯＵＴは、所定の出力電圧を超えることがなく、オーバーシュートは発生しない。
【０００７】
このように、レギュレータ回路９０は、オーバーシュート防止用ＲＣフィルタ９２を備えているので、電源８の電圧が入力端子１１に入力されたとき、出力電圧ＶＯＵＴのオーバーシュートを防止することができる。
【０００８】
特許文献１に記載される安定化電源は、起動時から所定時間が経過するまで、電源出力のオーバーシュートを抑制するための制御信号を生成するソフトスタート回路を有する。ソフトスタート回路は、出力された直流電源の電圧に基づいて、起動後コンデンサの容量と抵抗素子の抵抗値とで決まる時定数の時間だけ、出力電圧の上昇を制限する制御信号を出力する。
【０００９】
特許文献２に記載される電源システムは、負荷回路が、負荷電流の増加量を表し、かつ負荷電流を増加するタイミングより所定の時間だけ早く変化する負荷信号を制御部に出力する。制御部は、出力電圧と基準電圧との誤差に基づいて出力電圧を制御する。制御部は、負荷信号が指示されると、基準電圧を、出力電圧をアンダーシュート量に相当する電圧分上昇させることができる電圧だけ上昇させる。負荷電流が急増したとき、出力電圧は瞬時に低下するが、すでにアンダーシュート量に相当する電圧だけ上昇しているので、所定の電圧に制御される。
【先行技術文献】
【特許文献】
【００１０】
【特許文献１】特開平６−２２５５２３号公報
【特許文献２】特開２００５−１３０６１６号公報
【発明の概要】
【発明が解決しようとする課題】
【００１１】
しかしながら、レギュレータ回路９０は、負荷の消費電流が急増した場合、たとえば図２に示すように、時刻ｔ２に負荷が停止状態から動作状態に変化して消費電流が急増した場合、負荷への出力電流ＩＯＵＴが急増したことによって、出力電圧ＶＯＵＴが急激に低下し、その後出力電圧ＶＯＵＴが所定の電圧に復帰するまでの間、図２のＢ部に示すように、出力電圧ＶＯＵＴにオーバーシュートが発生する。負荷の消費電流が急増した場合のオーバーシュートは、オーバーシュート防止用ＲＣフィルタ９２では防ぐことができない。特許文献１に記載される安定化電源および特許文献２に記載される電源システムも、負荷の消費電流が急増した場合のオーバーシュートを防ぐことはできない。
【００１２】
本発明の目的は、消費電流が急激に増加したときの出力電圧のオーバーシュートを防止することができる電源回路および電子機器を提供することである。
【課題を解決するための手段】
【００１３】
本発明（１）は、電源の電圧が入力される入力部と、
負荷が接続され、接続される負荷に出力電圧を出力する出力部と、
出力部から出力すべき目標電圧を生成し、負荷が消費する消費電流が増加したとき、増加した時点から少なくとも予め定める期間、消費電流が増加した時点以前での目標電圧より低い電圧の目標電圧を生成する目標電圧生成部と、
目標電圧生成部によって生成される目標電圧と出力部から出力される出力電圧との差に基づいて、入力部に入力される電圧を目標電圧生成部によって生成される目標電圧に一致するように変換し、変換した電圧を出力部から出力させる変換部とを含むことを特徴とする電源回路である。
【００１４】
また本発明（５）は、電源の電圧が入力される入力部と、
負荷が接続され、接続される負荷に電圧を出力する出力部と、
予め定める目標電圧と出力部から出力される出力電圧との差に基づいて、入力部に入力された電圧を予め定める目標電圧に一致するように変換し、変換した電圧を出力部から出力させる変換部と、
負荷が消費する消費電流が増加したとき、消費電流が増加する時点から少なくとも予め定める抑止期間、前記変換部による変換を抑止する変換抑止部とを含むことを特徴とする電源回路である。
また本発明（６）は、前記電源回路を備えていることを特徴とする電子機器である。
【発明の効果】
【００１５】
本発明（１）によれば、入力部によって、電源の電圧が入力され、負荷が接続される出力部によって、接続される負荷に出力電圧が出力され、目標電圧生成部によって、出力部から出力すべき目標電圧が生成され、変換部によって、目標電圧生成部によって生成される目標電圧と出力部から出力される出力電圧との差に基づいて、入力部に入力される電圧が目標電圧生成部によって生成される目標電圧に一致するように変換され、変換された電圧が出力部から出力される。そして、目標電圧生成部によって、負荷が消費する消費電流が増加するとき、増加した時点から少なくとも予め定める期間、消費電流が増加した時点以前での目標電圧より低い電圧の目標電圧が生成される。
【００１６】
したがって、目標電圧を消費電流が増加する前の目標電圧より低い電圧とすることによって、消費電流が急激に増加しても、出力電圧の急峻な上昇を抑止することができ、出力電圧のオーバーシュートを防止することができる。
【００１７】
また本発明（５）によれば、入力部によって、電源の電圧が入力され、負荷が接続される出力部によって、接続される負荷に電圧が出力され、変換部によって、予め定める目標電圧と出力部から出力される出力電圧との差に基づいて、入力部に入力された電圧が予め定める目標電圧に一致するように変換され、変換された電圧が出力部から出力される。そして、変換抑止部によって、負荷が消費する消費電流が増加するとき、消費電流が増加する時点から少なくとも予め定める抑止期間、前記変換部による変換が抑止される。
【００１８】
したがって、出力電圧を目標電圧に一致させるまでの時間を予め定める抑止時間以上とすることによって、消費電流が急激に増加した直後電圧が極端に低下した出力電圧が目標電圧に一致するまでの時間を遅くしているので、出力電圧の急峻な上昇を抑止することができ、出力電圧のオーバーシュートを防止することができる。
【００１９】
また本発明（６）によれば、前記電源回路を備えているので、負荷の消費電流が急増しても、負荷に過電圧が印加されることがなく、電子機器を過電圧から保護することができる。
【図面の簡単な説明】
【００２０】
【図１】従来の技術によるレギュレータ回路９０の構成を示す図である。
【図２】レギュレータ回路９０の動作を説明するためのタイムチャートである。
【図３】本発明の実施の第１の形態であるレギュレータ回路１０の構成を示す図である。
【図４】基準電圧一定期間低下回路１６ａの構成を示す図である。
【図５】Ｏｎｅ  Ｓｈｏｔ  Ｐｕｌｓｅ生成回路１６１の構成の一例を示す図である。
【図６】レギュレータ回路１０の動作を説明するためのタイムチャートである。
【図７】基準電圧一定期間低下回路１６ｂの構成を示す図である。
【図８】基準電圧一定期間低下回路１６ｂを用いた場合のレギュレータ回路１０の動作を説明するためのタイムチャートである。
【図９】基準電圧一定期間低下回路１６ｃの構成を示す図である。
【図１０】基準電圧一定期間低下回路１６ｃを用いた場合のレギュレータ回路１０の動作を説明するためのタイムチャートである。
【図１１】基準電圧一定期間低下回路１６ｄの構成を示す図である。
【図１２】基準電圧一定期間低下回路１６ｄを用いた場合のレギュレータ回路１０の動作を説明するためのタイムチャートである。
【図１３】本発明の実施の第２の形態であるレギュレータ回路２０の構成を示す図である。
【図１４】本発明の実施の第３の形態であるレギュレータ回路３０の構成を示す図である。
【図１５】比較電圧ＶＲの変化を示すタイムチャートである。
【図１６】本発明の実施の第４の形態であるレギュレータ回路３１の構成を示す図である。
【図１７】本発明の実施の第５の形態であるレギュレータ回路３２の構成を示す図である。
【図１８】レギュレータ回路３２ａの構成を示す図である。
【図１９】レギュレータ回路３２ａの動作を説明するためのタイムチャートである。
【図２０】レギュレータ回路３２ｂの構成を示す図である。
【００２１】
【図２１】レギュレータ回路３２ｂの動作を説明するためのタイムチャートである。
【図２２】本発明の実施の第６の形態であるレギュレータ回路３３の構成を示す図である。
【図２３】レギュレータ回路３３ａの構成を示す図である。
【図２４】レギュレータ回路３３ａの動作を説明するためのタイムチャートである。
【図２５】レギュレータ回路３３ｂの構成を示す図である。
【図２６】レギュレータ回路３３ｂの動作を説明するためのタイムチャートである。
【発明を実施するための形態】
【００２２】
図３は、本発明の実施の第１の形態であるレギュレータ回路１０の構成を示す図である。電源回路であるレギュレータ回路１０は、シリーズレギュレータであり、入力端子１１、出力端子１２、エラーアンプ１３、基準電圧生成回路１４、電流検出回路１５、基準電圧一定期間低下回路１６、トランジスタＴｒ１、抵抗素子Ｒ１，Ｒ２，ＲＦ、およびコンデンサＣＦ，ＣＯＵＴを含んで構成されている。
【００２３】
入力部である入力端子１１は、電源８、たとえば車載用のバッテリの電圧が入力される。トランジスタＴｒ１は、ＰＮＰ型のトランジスタからなるスイッチであり、エミッタが電流検出回路１５を介して入力端子１１に接続され、コレクタが出力端子１２に接続され、ベースがエラーアンプ１３の出力に接続されている。トランジスタＴｒ１は、エラーアンプ１３から出力される誤差信号に応じて、コンデンサＣＯＵＴに供給する電流を変化させて、出力端子１２から出力する出力電圧ＶＯＵＴを制御する。出力部である出力端子１２は、図示しない負荷が接続される。負荷は、たとえばナビゲーション装置、オーディオ機器あるいはビデオ機器などのデバイスである。
【００２４】
抵抗素子Ｒ１は、一端が出力端子１２に接続され、他端が抵抗素子Ｒ２の一端に接続されており、抵抗素子Ｒ２の他端は、グランドに接続されている。抵抗素子Ｒ１および抵抗素子Ｒ２は、出力電圧ＶＯＵＴを分圧した帰還電圧ＶＦＢをエラーアンプ１３の非反転入力端子に入力する。
【００２５】
基準電圧生成回路１４は、入力端子１１に入力される電圧に基づいて基準電圧ＶＲＥＦを生成する。基準電圧ＶＲＥＦは、出力端子１２から出力する出力電圧を、予め定める目標電圧、たとえば５Ｖとするための基準となる電圧である。基準電圧生成回路１４は、たとえば直列に接続される２つの抵抗素子によって構成してもよいし、他の構成であってもよい。
【００２６】
抵抗素子ＲＦは、一端が基準電圧生成回路１４の出力に接続され、他端がエラーアンプ１３の反転入力端子およびコンデンサＣＦの一端に接続されている。コンデンサＣＦの他端は、グランドに接続されている。基準電圧生成回路１４から出力された基準電圧ＶＲＥＦは、抵抗素子ＲＦを介して比較電圧ＶＲとして、エラーアンプ１３の反転入力端子に入力される。
【００２７】
エラーアンプ１３は、抵抗素子Ｒ１と抵抗素子Ｒ２との接続点が非反転入力端子に接続され、基準電圧生成回路１４の出力が抵抗素子ＲＦを介して反転入力端子に接続され、トランジスタＴｒ１のベースが出力に接続されている。エラーアンプ１３は、非反転入力端子に入力される帰還電圧ＶＦＢと、反転入力端子に入力される比較電圧ＶＲとの差を増幅し、誤差信号としてトランジスタＴｒ１のベースに送り、出力端子１２から負荷に供給する出力電流ＩＯＵＴを制御する。たとえば、帰還電圧ＶＦＢが比較電圧ＶＲより低い場合は、その差が大きいほど、トランジスタＴｒ１に多くの電流を出力させる。
を構成する。
【００２８】
抵抗素子ＲＦとコンデンサＣＦとは、図１に示したオーバーシュート防止用ＲＣフィルタ９２と同じ構成であり、電源８の電圧が入力端子１１に入力されたとき、比較電圧ＶＲを抵抗素子ＲＦの抵抗値とコンデンサＣＦの容量とで決まる時定数で緩やかに上昇させる。したがって、負荷への突入電流によって出力電流ＩＯＵＴが急増しても、比較電圧ＶＲが緩やかに上昇するので、出力電圧ＶＯＵＴ自身の上昇速度も抑えられ、出力電圧ＶＯＵＴは、所定の出力電圧を超えることがなく、出力電圧ＶＯＵＴのオーバーシュートは発生することはない。
【００２９】
電流検出部である電流検出回路１５は、入力端子１１からトランジスタＴｒ１のエミッタへ流れる電流が予め定める電流値以上に増加したことを検出し、電流が予め定める電流値以上に増加したことを表す増加検出信号Ｓ１を基準電圧一定期間低下回路１６に送る。基準電圧一定期間低下回路１６は、電流が予め定める電流値以上に増加したことを電流検出回路１５から増加検出信号Ｓ１によって知らされると、エラーアンプ１３の反転入力端子に入力される比較電圧ＶＲを強制的に低下させる。
【００３０】
エラーアンプ１３、トランジスタＴｒ１、抵抗素子Ｒ１，Ｒ２、およびコンデンサＣＯＵＴは、変換部を構成する。基準電圧生成回路１４、電流検出回路１５、基準電圧一定期間低下回路１６、抵抗素子ＲＦおよびコンデンサＣＦは、目標電圧生成部を構成する。
【００３１】
図４は、基準電圧一定期間低下回路１６ａの構成を示す図である。基準電圧一定期間低下回路１６ａは、基準電圧一定期間低下回路１６の第１の実施例であり、Ｏｎｅ  Ｓｈｏｔ  Ｐｕｌｓｅ生成回路１６１、トランジスタＴｒ２および抵抗素子Ｒ３を含んで構成されている。
【００３２】
１ショットパルス（以下、Ｏｎｅ  Ｓｈｏｔ  Ｐｕｌｓｅと記す）生成回路１６１は、増加検出信号Ｓ１が入力され、増加検出信号Ｓ１がＬＯＷレベル（以下「Ｌレベル」という）からＨＩＧＨレベル（以下「Ｈレベル」という）に変化したとき、予め定めるパルス幅Ｔ１のパルス信号Ｓ２を出力する。
【００３３】
トランジスタＴｒ２は、ＮＰＮ型のトランジスタであり、ベースがＯｎｅ  Ｓｈｏｔ  Ｐｕｌｓｅ生成回路１６１の出力に接続され、Ｏｎｅ  Ｓｈｏｔ  Ｐｕｌｓｅ生成回路１６１からのパルス信号が入力される。エミッタはグランドに接続され、コレクタは抵抗素子Ｒ３の一端に接続されている。抵抗素子Ｒ３の他端は、抵抗素子ＲＦおよびコンデンサＣＦの接続点、すなわち、エラーアンプ１３の反転有力端子に接続されている。
【００３４】
トランジスタＴｒ２は、Ｏｎｅ  Ｓｈｏｔ  Ｐｕｌｓｅ生成回路１６１からのパルス信号Ｓ２がＨレベルになると、導通状態となり、抵抗素子ＲＦとコンデンサＣＦとの接続点の電圧、つまり比較電圧ＶＲをほぼグランドレベルまで低下させる。コンデンサＣＦの充電時間より放電時間を十分短くする必要があるので、抵抗素子Ｒ３の抵抗値は、抵抗素子ＲＦの抵抗値の概ね１／１０以下の値にし、ほぼ０Ωであってもよい。
【００３５】
図５は、Ｏｎｅ  Ｓｈｏｔ  Ｐｕｌｓｅ生成回路１６１の構成の一例を示す図である。Ｏｎｅ  Ｓｈｏｔ  Ｐｕｌｓｅ生成回１６１は、増幅器１６２、抵抗素子Ｒ４、コンデンサＣ１、基準電圧源１６３、コンパレータ１６４、インバータ１６５、および論理積回路１６６を含んで構成される。
【００３６】
増幅器１６２は、入力される増加検出信号Ｓ１を増幅して出力する。増幅器１６２の出力は、抵抗素子Ｒ４の一端と、論理積回路１６６の１つの入力に接続されている。抵抗素子Ｒ４の他端は、一端がグランドに接続されているコンデンサＣ１の他端と、コンパレータ１６４の非反転入力端子に接続されている。コンパレータ１６４は、基準電圧源１６３の電圧が反転入力端子に印加され、出力がインバータ１６５の入力に接続されている。インバータ１６５の出力は、論理積回路１６６の他の入力に接続されている。
【００３７】
増加検出信号Ｓ１がＬレベルからＨレベルに変化すると、コンパレータ１６４の非反転入力端子の電圧は、抵抗素子Ｒ４の抵抗値とコンデンサＣ１の容量とで決まる時定数で、ＬレベルからＨレベルに上昇する。コンパレータ１６４の非反転入力端子の電圧が、基準電圧源１６３の電圧を超えると、コンパレータ１６４の出力は、ＬレベルからＨレベルに変化する。すなわち、インバータ１６５の出力は、コンパレータ１６４の出力がＬレベルからＨレベルに変化したときに、ＨレベルからＬレベルに変化する。したがって、論理積回路１６６は、増加検出信号Ｓ１がＬレベルからＨレベルに変化したときから、インバータ１６５の出力がＨレベルからＬレベルに変化するまでの期間にＨレベルのパルス信号Ｓ２を出力する。
【００３８】
図６は、レギュレータ回路１０の動作を説明するためのタイムチャートである。負荷の電流が増加したとき、たとえばオーディオ機器が停止状態から動作状態に変化したとき、負荷に供給される出力電流ＩＯＵＴが急増する。停止状態は、消費電流が予め定める電流値以下の電流値である第１の状態に相当し、動作状態は、消費電流が予め定める電流値より大きい電流値である第２の状態に相当する。
【００３９】
時刻ｔ２に出力電流ＩＯＵＴが急増すると、電流検出回路１５は、出力電流ＩＯＵＴが予め定める電流値以上に増加したことを検出し、増加検出信号Ｓ１をＨレベルとする。増加検出信号Ｓ１がＨレベルになると、Ｏｎｅ  Ｓｈｏｔ  Ｐｕｌｓｅ生成回１６１は、パルス幅Ｔ１の期間Ｈレベルとなるパルス信号Ｓ２を出力する。トランジスタＴｒ２は、パルス信号Ｓ２がＨレベルの期間導通状態となるので、比較電圧ＶＲは、基準電圧ＶＲＥＦからほぼグランドレベルまで低下する。抵抗素子ＲＦの抵抗値よりも十分小さい抵抗値の抵抗素子Ｒ３が設けられているので、比較電圧ＶＲは、ほぼ抵抗素子Ｒ３の抵抗値とコンデンサＣ１の容量とで決まる時定数で低下する。
【００４０】
時刻ｔ２から時間Ｔ１が経過すると、パルス信号Ｓ２は、ＨレベルからＬレベルに変化する。パルス信号Ｓ２がＬレベルになると、トランジスタＴｒ２は、遮断状態となり、比較電圧ＶＲは、抵抗素子ＲＦの抵抗値とコンデンサＣＦの容量とで決まる時定数で緩やかに上昇する。
【００４１】
時刻ｔ２に出力電流ＩＯＵＴが急増したとき、出力電圧ＶＯＵＴは急激に低下し、帰還電圧ＶＦＢも急激に低下するが、比較電圧ＶＲも低下するので、帰還電圧ＶＦＢと比較電圧ＶＲとの差は小さく、エラーアンプ１３が出力する誤差信号は、出力電圧ＶＯＵＴを大きく上昇させる値にはならない。したがって、出力電圧ＶＯＵＴは、図６のＣ部に示すように、所定の電圧を超えることはなく、オーバーシュートは発生しない。
【００４２】
図７は、基準電圧一定期間低下回路１６ｂの構成を示す図である。基準電圧一定期間低下回路１６ｂは、基準電圧一定期間低下回路１６の第２の実施例であり、Ｏｎｅ  Ｓｈｏｔ  Ｐｕｌｓｅ生成回路１６１ａ、トランジスタＴｒ３および抵抗素子Ｒ４を含んで構成されている。図４に示した基準電圧一定期間低下回路１６は、ＰＮＰ型のトランジスタＴｒ２を用いたが、図７に示す基準電圧一定期間低下回路１６ｂは、ＮＰＮ型のトランジスタＴｒ３を用いている。
【００４３】
Ｏｎｅ  Ｓｈｏｔ  Ｐｕｌｓｅ生成回路１６１ａは、増加検出信号Ｓ１を反転した反転増加検出信号Ｓ１ａが入力され、反転増加検出信号Ｓ１ａがＨレベルからＬレベルに変化したときに、Ｌレベルのパルス幅Ｔ１のパルス信号Ｓ２ａを出力する。反転増加検出信号Ｓ１ａは、たとえば増加検出信号Ｓ１をインバータによって反転させた信号である。Ｏｎｅ  Ｓｈｏｔ  Ｐｕｌｓｅ生成回路１６１ａは、Ｏｎｅ  Ｓｈｏｔ  Ｐｕｌｓｅ生成回路１６１の入力および出力にそれぞれインバータを設けることによって実現することができる。
【００４４】
トランジスタＴｒ３は、ベースがＯｎｅ  Ｓｈｏｔ  Ｐｕｌｓｅ生成回路１６１ａの出力に接続され、コレクタが、一端がグランドに接続される抵抗素子Ｒ４の他端に接続され、エミッタが抵抗素子ＲＦおよびコンデンサＣＦの接続点、すなわち、エラーアンプ１３の反転有力端子に接続されている。トランジスタＴｒ３は、Ｏｎｅ  Ｓｈｏｔ  Ｐｕｌｓｅ生成回路１６１ａからのパルス信号がＬレベルになると、導通状態となり、抵抗素子ＲＦとコンデンサＣＦとの接続点の電圧、つまり比較電圧ＶＲをほぼグランドレベルまで低下させる。コンデンサＣＦの充電時間より放電時間を十分短くする必要があるので、抵抗素子Ｒ４の抵抗値は、抵抗素子ＲＦの抵抗値の概ね１／１０以下の値にし、ほぼ０Ωであってもよい。
【００４５】
図８は、基準電圧一定期間低下回路１６ｂを用いた場合のレギュレータ回路１０の動作を説明するためのタイムチャートである。負荷の電流が増加したとき、たとえばオーディオ機器が停止状態から動作状態に変化したとき、負荷に供給される出力電流ＩＯＵＴが急増する。
【００４６】
時刻ｔ２に出力電流ＩＯＵＴが急増すると、電流検出回路１５は、出力電流ＩＯＵＴが予め定める電流値以上に増加したことを検出し、増加検出信号Ｓ１ａをＬレベルとする。増加検出信号Ｓ１ａがＬレベルになると、Ｏｎｅ  Ｓｈｏｔ  Ｐｕｌｓｅ生成回１６１ａは、パルス幅Ｔ１の期間Ｌレベルとなるパルス信号Ｓ２ａを出力する。トランジスタＴｒ３は、増加検出信号Ｓ１ａがＬレベルの期間導通状態となるので、比較電圧ＶＲは、基準電圧ＶＲＥＦから低下する。抵抗素子ＲＦの抵抗値よりも十分小さい抵抗値の抵抗素子Ｒ４が設けられているので、比較電圧ＶＲは、ほぼ抵抗素子Ｒ４の抵抗値とコンデンサＣ１の容量とで決まる時定数で低下する。
【００４７】
時刻ｔ２から時間Ｔ１が経過すると、パルス信号Ｓ２ａは、ＬレベルからＨレベルに変化する。パルス信号Ｓ２ａがＨレベルになると、トランジスタＴｒ３は、遮断状態となり、比較電圧ＶＲは、抵抗素子ＲＦの抵抗値とコンデンサＣＦの容量とで決まる時定数で緩やかに上昇する。
【００４８】
時刻ｔ２に出力電流ＩＯＵＴが急増したとき、出力電圧ＶＯＵＴは急激に低下し、帰還電圧ＶＦＢも急激に低下するが、比較電圧ＶＲも低下するので、帰還電圧ＶＦＢと比較電圧ＶＲとの差は小さく、エラーアンプ１３が出力する誤差信号は、出力電圧ＶＯＵＴを大きく上昇させる値にはならない。したがって、出力電圧ＶＯＵＴは、図７のＣ部に示すように、所定の電圧を超えることはなく、オーバーシュートは発生しない。
【００４９】
図９は、基準電圧一定期間低下回路１６ｃの構成を示す図である。基準電圧一定期間低下回路１６ｃは、基準電圧一定期間低下回路１６の第３の実施例であり、ダイオード１６７、コンデンサＣ２およびトランジスタＴｒ４を含んで構成されている。
【００５０】
トランジスタＴｒ４は、ベースに増加検出信号Ｓ１が入力され、エミッタがグランドに接続され、コレクタがコンデンサＣ２の一端に接続されている。コンデンサＣ２の他端は、ダイオード１６７のカソードに接続され、ダイオード１６７のアノードは、抵抗素子ＲＦおよびコンデンサＣＦの接続点、すなわち、エラーアンプ１３の反転有力端子に接続されている。
【００５１】
トランジスタＴｒ４は、増加検出信号Ｓ１がＨレベルになると、導通状態となり、コレクタが接続されるコンデンサＣ２の一端の電圧をグランドレベルまで引き下げる。コンデンサＣ２の他端の電圧も同時にグランドレベルまで下がるので、ダイオード１６７のアノードの電圧、つまり比較電圧ＶＲは、基準電圧ＶＲＥＦと同じ電圧から、ダイオード１６７の電圧降下分の電圧０．７Ｖ程度まで急減する。比較電圧ＶＲは、０．７Ｖ程度まで急減した後、基準電位ＲＥＦまで抵抗素子ＲＦの抵抗値とコンデンサＣＦの容量とで決まる時定数で緩やかに上昇する。
【００５２】
図１０は、基準電圧一定期間低下回路１６ｃを用いた場合のレギュレータ回路１０の動作を説明するためのタイムチャートである。負荷の電流が増加したとき、たとえばオーディオ機器が停止状態から動作状態に変化したとき、負荷に供給される出力電流ＩＯＵＴが急増する。
【００５３】
時刻ｔ２に出力電流ＩＯＵＴが急増すると、電流検出回路１５は、出力電流ＩＯＵＴが予め定める電流値以上に増加したことを検出し、増加検出信号Ｓ１をＨレベルとする。増加検出信号Ｓ１がＨレベルになると、トランジスタＴｒ４は導通状態となり、比較電圧ＶＲは、基準電圧ＶＲＥＦと同じ電圧から０．７Ｖ程度まで急減する。比較電圧ＶＲは、０．７Ｖ程度まで急減した後、基準電位ＲＥＦまで緩やかに上昇する。
【００５４】
時刻ｔ２に出力電流ＩＯＵＴが急増したとき、出力電圧ＶＯＵＴは急減するが、比較電圧ＶＲも急減するので、帰還電圧ＶＦＢと比較電圧ＶＲとの差は小さく、エラーアンプ１３が出力する誤差信号は、出力電圧ＶＯＵＴを大きく上昇させる値にはならない。したがって、出力電圧ＶＯＵＴは、所定の電圧を超えることはなく、オーバーシュートは発生しない。
【００５５】
図１１は、基準電圧一定期間低下回路１６ｄの構成を示す図である。基準電圧一定期間低下回路１６ｄは、基準電圧一定期間低下回路１６の第４の実施例であり、コンデンサＣ３およびトランジスタＴｒ５を含んで構成されている。図９に示した基準電圧一定期間低下回路１６ｃは、ＮＰＮ型のトランジスタＴｒ４を用いたが、図１１に示す基準電圧一定期間低下回路１６ｄは、ＰＮＰ型のトランジスタＴｒ５を用いている。
【００５６】
トランジスタＴｒ５は、ベースに反転増加検出信号Ｓ１ａが入力され、コレクタがグランドに接続され、エミッタがコンデンサＣ３の一端に接続されている。コンデンサＣ３の他端は、抵抗素子ＲＦおよびコンデンサＣＦの接続点、すなわち、エラーアンプ１３の反転有力端子に接続されている。トランジスタＴｒ５は、反転増加検出信号Ｓ１ａがＬレベルになると、導通状態となり、エミッタが接続されるコンデンサＣ３の一端の電圧をグランドレベルまで引き下げる。コンデンサＣ３の他端の電圧、つまり比較電圧ＶＲも同時にグランドレベルまで下がる。比較電圧ＶＲは、グランドレベルまで急減した後、基準電位ＲＥＦまで抵抗素子ＲＦの抵抗値とコンデンサＣＦの容量とで決まる時定数で緩やかに上昇する。
【００５７】
図１２は、基準電圧一定期間低下回路１６ｄを用いた場合のレギュレータ回路１０の動作を説明するためのタイムチャートである。負荷の電流が増加したとき、たとえばオーディオ機器が停止状態から動作状態に変化したとき、負荷に供給される出力電流ＩＯＵＴが急増する。
【００５８】
時刻ｔ２に出力電流ＩＯＵＴが急増すると、電流検出回路１５は、出力電流ＩＯＵＴが予め定める電流値以上に増加したことを検出し、反転増加検出信号Ｓ１ａをＬレベルとする。反転増加検出信号Ｓ１ａがＬレベルになると、トランジスタＴｒ５が導通状態となり、比較電圧ＶＲは、基準電圧ＶＲＥＦからグランドレベルまで急減する。比較電圧ＶＲは、グランドレベルまで急減した後、基準電位ＲＥＦまで緩やかに上昇する。
【００５９】
時刻ｔ２に出力電流ＩＯＵＴが急増したとき、出力電圧ＶＯＵＴは急減するが、比較電圧ＶＲも急減するので、帰還電圧ＶＦＢと比較電圧ＶＲとの差は小さく、エラーアンプ１３が出力する誤差信号は、出力電圧ＶＯＵＴを大きく上昇する値にはならない。したがって、出力電圧ＶＯＵＴは、所定の電圧を超えることはなく、オーバーシュートは発生しない。
【００６０】
基準電圧一定期間低下回路１６として、基準電圧一定期間低下回路１６ａ〜１６ｄの４つの実施例を示したが、これらに限定されるものではなく、また、これらのうちのいずれを用いてもよい。
【００６１】
図１３は、本発明の実施の第２の形態であるレギュレータ回路２０の構成を示す図である。電源回路であるレギュレータ回路２０は、スイッチングレギュレータであり、入力端子１１、出力端子１２、エラーアンプ１３、基準電圧生成回路１４、基準電圧一定期間低下回路１６、スイッチ２１、制御回路２２、ダイオード２３、チョークコイル２４、電流検出回路２５、抵抗素子Ｒ１，Ｒ２，ＲＦ、およびコンデンサＣＦ，ＣＯＵＴを含んで構成されている。レギュレータ回路２０の構成要素のうち図３に示したレギュレータ回路１０の構成要素と同じものには同じ参照符を付して、重複を避けるために説明は省略する。
【００６２】
スイッチ２１は、たとえばスイッチングトランジスタによって構成され、一端が入力端子１１に接続され、他端が、アノードがグランドに接続されるダイオード２３のカソード、およびチョークコイル２４の一端に接続されている。スイッチ２１は、制御回路２２の指示によって導通および遮断が切り換えられ、チョークコイル２４を介してコンデンサＣＯＵＴに供給する電流を変化させて、出力端子１２から出力する出力電圧ＶＯＵＴを制御する。
【００６３】
エラーアンプ１３は、出力が制御回路２２に接続されており、非反転入力端子に入力される帰還電圧ＶＦＢと、反転入力端子に入力される比較電圧ＶＲとの差を増幅し、誤差増幅信号として制御回路２２に送る。制御回路２２は、スイッチ２１の導通および遮断を切り換え、出力端子１２から負荷に供給する出力電流ＩＯＵＴを制御する。たとえば、帰還電圧ＶＦＢが比較電圧ＶＲより低い場合は、その差が大きいほど、スイッチ２１の導通時間を長くする。
【００６４】
電流検出部である電流検出回路２５は、チョークコイル２４からコンデンサＣ２へ流れる電流が予め定める電流値以上に増加したことを検出し、電流が予め定める電流値以上に増加したことを表す増加検出信号Ｓ１を基準電圧一定期間低下回路１６に送る。基準電圧一定期間低下回路１６は、電流が予め定める電流値以上に増加したことを電流検出回路１５から増加検出信号Ｓ１によって知らされると、エラーアンプ１３の反転入力端子に入力される比較電圧ＶＲを強制的に低下させる。
【００６５】
図６に示したタイムチャートは、シリーズレギュレータであるレギュレータ回路１０の動作を示すタイムチャートであるが、スイッチングレギュレータであるレギュレータ回路２０も、図６に示したタイムチャート同じ動作をする。
【００６６】
負荷の消費電流が増加したとき、たとえばオーディオ機器が停止状態から動作状態に変化したとき、負荷に供給される出力電流ＩＯＵＴが急増する。たとえば時刻ｔ２に出力電流ＩＯＵＴが急増すると、電流検出回路２５は、出力電流ＩＯＵＴが予め定める電流値以上に増加したことを検出し、増加検出信号Ｓ１をＨレベルとする。増加検出信号Ｓ１がＨレベルになると、基準電圧一定期間低下回路１６は、比較電圧ＶＲを基準電圧ＶＲＥＦからほぼグランドレベルまで低下させる。
【００６７】
時刻ｔ２に出力電流ＩＯＵＴが急増したとき、出力電圧ＶＯＵＴは急減するが、比較電圧ＶＲも低下するので、帰還電圧ＶＦＢと比較電圧ＶＲとの差は小さく、エラーアンプ１３が出力する誤差信号は、出力電圧ＶＯＵＴを大きく上昇させる値とはならない。したがって、出力電圧ＶＯＵＴは、図６のＣ部に示すように、所定の電圧を超えることはなく、オーバーシュートは発生しない。
【００６８】
エラーアンプ１３、スイッチ２１、制御回路２２、ダイオード２３、チョークコイル２４、抵抗素子Ｒ１，Ｒ２、およびコンデンサＣＯＵＴは、変換部を構成する。基準電圧生成回路１４、基準電圧一定期間低下回路１６、電流検出回路２５、抵抗素子ＲＦおよびコンデンサＣＦは、目標電圧生成部を構成する。
【００６９】
図１４は、本発明の実施の第３の形態であるレギュレータ回路３０の構成を示す図である。電源回路であるレギュレータ回路３０は、シリーズレギュレータであり、入力端子１１、出力端子１２、エラーアンプ１３、基準電圧生成回路１４、基準電圧一定期間低下回路１６、トランジスタＴｒ１、抵抗素子Ｒ１，Ｒ２，ＲＦ、およびコンデンサＣＦ，ＣＯＵＴを含んで構成されている。レギュレータ回路３０の構成要素のうち図３に示したレギュレータ回路１０の構成要素と同じものには同じ参照符を付して、重複を避けるために説明は省略する。
【００７０】
図３に示したレギュレータ回路１０では、基準電圧一定期間低下回路１６に入力する信号として、電流検出回路１５が検出した増加検出信号Ｓ１を入力したが、図１４に示したレギュレータ回路３０では、増加検出信号Ｓ１の代わりに、ＯＮ／ＯＦＦ信号Ｓ３を入力する。ＯＮ／ＯＦＦ信号Ｓ３は、たとえば負荷であるデバイス９に出力端子１２から出力される電圧を印加する動作状態とするか、電圧を印加しない停止状態とするかを切り換えるためのスイッチ４１に指示される信号であり、Ｈレベルが電圧を印加するＯＮを指示し、Ｌレベルが電圧を印加しないＯＦＦを指示する。ＯＮ／ＯＦＦ信号Ｓ３がＬレベルからＨレベルに変化すると、基準電圧一定期間低下回路１６は、比較電圧ＶＲを基準電圧ＶＲＥＦからほぼグランドレベルまで低下させる。
【００７１】
図１５は、比較電圧ＶＲの変化を示すタイムチャートである。基準電圧一定期間低下回路１６がたとえば図４に示した回路構成である場合、時刻ｔ２にＯＮ／ＯＦＦ信号Ｓ３がＬレベルからＨレベルに変化すると、Ｏｎｅ  Ｓｈｏｔ  Ｐｕｌｓｅ生成回路１６１は、パルス幅Ｔ１のパルス信号を生成し、パルス幅Ｔ１の期間トランジスタＴｒ２が導通状態となり、比較電圧ＶＲを基準電圧ＶＲＥＦからほぼグランドレベルまで低下させる。
【００７２】
エラーアンプ１３、トランジスタＴｒ１、抵抗素子Ｒ１，Ｒ２、およびコンデンサＣＯＵＴは、変換部を構成する。基準電圧生成回路１４、基準電圧一定期間低下回路１６、抵抗素子ＲＦおよびコンデンサＣＦは、目標電圧生成部を構成する。
【００７３】
ＯＮ／ＯＦＦ信号Ｓ３がＬレベルからＨレベルに変化すると、デバイス９は停止状態から動作状態に変化し、デバイス９が消費する消費電流が急増する。デバイス９の消費電流が急増すると、出力電流ＩＯＵＴも急増する。出力電流ＩＯＵＴが急増したとき、出力電圧ＶＯＵＴは急激に低下するが、比較電圧ＶＲも低下するので、帰還電圧ＶＦＢと比較電圧ＶＲとの差が小さく、エラーアンプ１３が出力する誤差信号は、出力電圧ＶＯＵＴを大きく上昇させる値とはならない。したがって、出力電圧ＶＯＵＴは、所定の電圧を超えることはなく、オーバーシュートは発生しない。
【００７４】
図１６は、本発明の実施の第４の形態であるレギュレータ回路３１の構成を示す図である。電源回路であるレギュレータ回路３０は、シリーズレギュレータであり、入力端子１１、出力端子１２、エラーアンプ１３、基準電圧生成回路１４、基準電圧一定期間低下回路１６、トランジスタＴｒ１、抵抗素子Ｒ１，Ｒ２，ＲＦ、およびコンデンサＣＦ，ＣＯＵＴを含んで構成されている。レギュレータ回路３１の構成要素のうち図１４に示したレギュレータ回路３０の構成要素と同じものには同じ参照符を付して、重複を避けるために説明は省略する。
【００７５】
エラーアンプ１３、トランジスタＴｒ１、抵抗素子Ｒ１，Ｒ２、およびコンデンサＣＯＵＴは、変換部を構成する。基準電圧生成回路１４、基準電圧一定期間低下回路１６、抵抗素子ＲＦおよびコンデンサＣＦは、目標電圧生成部を構成する。
【００７６】
図１４に示したレギュレータ回路３０では、ＯＮ／ＯＦＦ信号Ｓ３をスイッチ４１に指示することによって、デバイス９を動作状態とするか停止状態とするかを切り換えたが、デバイス９を動作状態とするか停止状態とするかを切り換える機能がデバイス９にある場合は、レギュレータ回路３１は、図１４に示したスイッチ４１を用いずに、ＯＮ／ＯＦＦ信号Ｓ３を直接デバイス９に指示して、デバイス９を動作状態とするか停止状態とするかを切り換える。ＯＮ／ＯＦＦ信号Ｓ３がＬレベルからＨレベルに変化すると、基準電圧一定期間低下回路１６は、比較電圧ＶＲを基準電圧ＶＲＥＦからほぼグランドレベルまで低下させる。
【００７７】
ＯＮ／ＯＦＦ信号Ｓ３がＬレベルからＨレベルに変化すると、デバイス９は停止状態から動作状態に変化し、デバイス９が消費する消費電流が急増する。デバイス９の消費電流が急増すると、出力電流ＩＯＵＴも増加する。出力電流ＩＯＵＴが急増したとき、出力電圧ＶＯＵＴは急激に低下するが、比較電圧ＶＲも低下するので、帰還電圧ＶＦＢと比較電圧ＶＲとの差が小さく、エラーアンプ１３が出力する誤差信号は、出力電圧ＶＯＵＴを大きく上昇させる値とはならない。したがって、出力電圧ＶＯＵＴは、所定の電圧を超えることはなく、オーバーシュートは発生しない。
【００７８】
このように、入力端子１１によって、電源８の電圧が入力され、負荷が接続される出力端子１２によって、接続される負荷に出力電圧ＶＯＵＴが出力され、目標電圧生成部、具体的には、レギュレータ回路１０の場合は、エラーアンプ１３、トランジスタＴｒ１、抵抗素子Ｒ１，Ｒ２、およびコンデンサＣＯＵＴ、レギュレータ回路２０の場合は、エラーアンプ１３、スイッチ２１、制御回路２２、ダイオード２３、チョークコイル２４、抵抗素子Ｒ１，Ｒ２、およびコンデンサＣＯＵＴ、レギュレータ回路３０の場合は、エラーアンプ１３、トランジスタＴｒ１、抵抗素子Ｒ１，Ｒ２、およびコンデンサＣＯＵＴ、レギュレータ回路３１の場合は、エラーアンプ１３、トランジスタＴｒ１、抵抗素子Ｒ１，Ｒ２、およびコンデンサＣＯＵＴによって、出力端子１２から出力すべき目標電圧、たとえば５Ｖの電圧が生成され、負荷が消費する消費電流が増加したとき、増加した時点から少なくとも予め定める期間、消費電流が増加した時点以前での目標電圧より低い電圧の目標電圧が生成される。
【００７９】
さらに、変換部、具体的には、レギュレータ回路１０の場合は、基準電圧生成回路１４、電流検出回路１５、基準電圧一定期間低下回路１６、抵抗素子ＲＦおよびコンデンサＣＦ、レギュレータ回路２０の場合は、基準電圧生成回路１４、基準電圧一定期間低下回路１６、電流検出回路２５、抵抗素子ＲＦおよびコンデンサＣＦ、レギュレータ回路３０の場合は、基準電圧生成回路１４、基準電圧一定期間低下回路１６、抵抗素子ＲＦおよびコンデンサＣＦ、レギュレータ回路３１の場合は、基準電圧生成回路１４、基準電圧一定期間低下回路１６、抵抗素子ＲＦおよびコンデンサＣＦによって、目標電圧生成部によって生成される目標電圧と出力端子１２から出力される出力電圧との差に基づいて、入力端子１１に入力される電圧が目標電圧生成部によって生成される目標電圧に一致するように変換され、変換された電圧が出力端子１２から出力される。。
【００８０】
したがって、目標電圧を消費電流が増加する前の目標電圧より低い電圧とすることによって、消費電流が急激に増加しても、出力電圧の急峻な上昇を抑止することができ、出力電圧のオーバーシュートを防止することができる。
【００８１】
さらに、前記目標電圧生成部に含まれる電流検出回路１５または電流検出回路２５によって、出力端子１２から出力される出力電流の電流値が予め定める電流値より大きくなったことが検出される。そして、前記目標電圧生成部は、電流検出回路１５または電流検出回路２５が出力端子１２から出力される出力電流の電流値が予め定める電流値より大きくなったことを検出したとき、負荷が消費する消費電流が増加したものと判断するので、出力電流の増加を正確に把握することができる。
【００８２】
さらに、前記目標電圧生成部は、負荷が消費する消費電流が予め定める電流値以下の電流値である第１の状態、たとえば停止状態から、消費電流が予め定める電流値より大きい電流値である第２の状態、たとえば動作状態に切り換える切換信号が指示されたとき、負荷が消費する消費電流が増加したものと判断するので、電流検出回路を設ける必要がない。
【００８３】
さらに、前記目標電圧生成部は、入力端子１１に電源８の電圧が入力されると、目標電圧をグランドレベルから予め定める電圧、たとえば５Ｖの電圧まで予め定める時定数、たとえば抵抗素子ＲＦの抵抗値とコンデンサＣＦの容量とで決まる時定数で上昇させるので、電源投入時の出力電圧のオーバーシュートも防止することができる。
【００８４】
図１７は、本発明の実施の第５の形態であるレギュレータ回路３２の構成を示す図である。電源回路であるレギュレータ回路３２は、スイッチングレギュレータであり、入力端子１１、出力端子１２、エラーアンプ１３、スイッチ２１、制御回路２２、ダイオード２３、チョークコイル２４、基準電圧生成回路４２、三角波発生回路４４、ソフトスタート回路（以下「ＳＳ回路」という）４５、コンパレータ４６、抵抗素子Ｒ１，Ｒ２、およびコンデンサＣＯＵＴを含んで構成されている。レギュレータ回路３２の構成要素のうち図１３に示したレギュレータ回路２０の構成要素と同じものには同じ参照符を付して、重複を避けるために説明は省略する。
【００８５】
三角波生成回路４４は、予め定める周波数で発振する三角波を生成する回路であり、出力がコンパレータ４６の反転入力端子に接続されている。ＳＳ回路４５は、ＯＮ／ＯＦＦ信号Ｓ３が入力され、基準電圧生成回路４２で生成される電圧が入力されている。ＳＳ回路４５が出力するＳＳ回路出力電圧ＤＴは、ＯＮ／ＯＦＦ信号Ｓ３がＬレベルのとき、エラーアンプ１３が出力するエラーアンプ出力電圧ＥＡＯ以下の電圧である。ＯＮ／ＯＦＦ信号Ｓ３がＬレベルからＨレベルに変化すると、ＳＳ回路４５が出力するＳＳ回路出力電圧ＤＴは、エラーアンプ出力電圧ＥＡＯより電圧となる。
【００８６】
コンパレータ４６は、第１の非反転入力端子がＳＳ回路４５の出力に接続され、第２の非反転入力端子がエラーアンプ１３の出力に接続され、反転入力端子が三角波生成回路４４の出力に接続され、出力が制御回路２２の入力に接続されている。コンパレータ４６は、第１の非反転入力端子および第２の非反転入力端子のうちのいずれかの電圧が反転入力端子の電圧より高いときに誤差信号を出力する。
【００８７】
コンパレータ４６は、第１の非反転入力端子に入力されるＳＳ回路出力電圧ＤＴが第２の非反転入力端子に入力されるエラーアンプ出力電圧ＥＡＯ以下の場合は、第２の非反転入力端子に入力されるエラーアンプ出力電圧ＥＡＯと、反転入力端子に入力される三角波生成回路４４が出力する三角波の電圧との差に応じた誤差信号を出力する。
【００８８】
コンパレータ４６は、ＳＳ回路出力電圧ＤＴがエラーアンプ出力電圧ＥＡＯより高い場合は、ＳＳ回路出力電圧ＤＴがエラーアンプ出力電圧ＥＡＯ以下の場合に出力する誤差信号の値より小さい値の誤差信号を出力し、ＳＳ回路出力電圧ＤＴがエラーアンプ出力電圧ＥＡＯより高いほど、より小さい値の誤差信号を出力する。制御回路２２は、たとえば、スイッチ２１がスイッチングトランジスタである場合は、入力される誤差信号の値が小さいほど、スイッチングトランジスタのオンデューティを小さくする。オンデューティは、導通および遮断の周期のうち導通している時間が占める時間の割合である。
【００８９】
エラーアンプ１３、スイッチ２１、制御回路２２、ダイオード２３、チョークコイル２４、基準電圧生成回路４２、三角波発生回路４４、コンパレータ４６、抵抗素子Ｒ１，Ｒ２、およびコンデンサＣＯＵＴは、変換部を構成する。基準電圧生成回路４２、ＳＳ回路４５およびコンパレータ４６は、変換抑止部を構成する。
【００９０】
図１８は、レギュレータ回路３２ａの構成を示す図である。レギュレータ回路３２ａは、レギュレータ回路３２の詳細な第１の構成例であり、入力端子１１、出力端子１２、エラーアンプ１３、スイッチ２１、制御回路２２、ダイオード２３、チョークコイル２４、基準電圧生成回路Ａ４２ａ、基準電圧生成回路Ｂ４２ｂ、三角波発生回路４４、ＳＳ回路４５ａ、コンパレータ４６、抵抗素子Ｒ１，Ｒ２、およびコンデンサＣＯＵＴを含んで構成されている。レギュレータ回路３２ａの構成要素のうち図１７に示したレギュレータ回路３２の構成要素と同じものには同じ参照符を付して、重複を避けるために説明は省略する。
【００９１】
基準電圧生成回路Ａ４２ａおよび基準電圧生成回路Ｂ４２ｂは、図１７に示した基準電圧生成回路４２を２つに分割したものであり、ＳＳ回路４５ａおよびエラーアンプ１３の反転入力端子にそれぞれ出力する電圧は、基準電圧生成回路４２がＳＳ回路１６およびエラーアンプ１３の反転入力端子にそれぞれ出力する電圧と同じ電圧である。基準電圧生成回路Ａ４２ａは、ＳＳ回路４５ａに印加する電圧を出力する。基準電圧生成回路Ｂ４２ｂは、図３に示した基準電圧生成回路１４と同じ回路であり、基準電圧ＶＲＥＦに等しい電圧の比較電圧ＶＲを出力する。
【００９２】
ＳＳ回路４５ａは、図１７に示したＳＳ回路４５の詳細な回路構成の一例である。ＳＳ回路４５ａは、Ｏｎｅ  Ｓｈｏｔ  Ｐｕｌｓｅ生成回路１６１、トランジスタＴｒ７、抵抗素子Ｒ５〜Ｒ７、およびコンデンサＣ４を含んで構成されている。Ｏｎｅ  Ｓｈｏｔ  Ｐｕｌｓｅ生成回路１６１は、図５に示したＯｎｅ  Ｓｈｏｔ  Ｐｕｌｓｅ生成回路１６１と同じ回路構成である。Ｏｎｅ  Ｓｈｏｔ  Ｐｕｌｓｅ生成回路１６１は、ＯＮ／ＯＦＦ信号Ｓ３が入力され、出力がトランジスタＴｒ７のベースに接続されている。
【００９３】
トランジスタＴｒ７は、ＮＰＮ型のトランジスタであり、コレクタが、抵抗素子Ｒ７の一端に接続され、エミッタがコンパレータ４６の第１の非反転入力端子、コンデンサＣ４の一端、抵抗素子Ｒ５の一端、および一端がグランドに接続される抵抗素子Ｒ６の他端に接続されている。抵抗素子Ｒ７の他端、コンデンサＣ４の他端、および抵抗素子Ｒ５の他端は、基準電圧生成回路Ａ４２ａの出力に接続されている。
【００９４】
コンデンサＣ４の放電時間より充電時間を十分短くする必要があるので、抵抗素子Ｒ７の抵抗値は、抵抗素子Ｒ５の抵抗値の概ね１／１０以下の値にし、ほぼ０Ωであってもよい。
【００９５】
図１９は、レギュレータ回路３２ａの動作を説明するためのタイムチャートである。ＯＮ／ＯＦＦ信号Ｓ３がＬレベルのとき、Ｏｎｅ  Ｓｈｏｔ  Ｐｕｌｓｅ生成回路１６１が出力するパルス信号Ｓ４は、Ｌレベルであり、トランジスタＴｒ７は、遮断状態である。したがって、ＳＳ回路４５ａが出力するＳＳ回路出力電圧ＤＴは、基準電圧生成回路Ａ４２ａが出力する電圧を抵抗素子Ｒ５と抵抗素子Ｒ６とで分圧した電圧である。基準電圧生成回路Ａ４２ａが出力する電圧を抵抗素子Ｒ５と抵抗素子Ｒ６とで分圧した電圧は、エラーアンプ１３が出力するエラーアンプ出力電圧ＥＡＯ以下の電圧に設定されている。したがって、コンパレータ４６は、エラーアンプ出力電圧ＥＡＯと三角波発生回路４４が出力する三角波出力電圧ＴｒｉＯｓｃとの差を誤差信号として制御回路２２に出力する。
【００９６】
時刻ｔ２にＯＮ／ＯＦＦ信号Ｓ３がＬレベルからＨレベルに変化すると、パルス信号Ｓ４は、パルス幅Ｔ１のＨレベルのパルスを出力する。パルス信号Ｓ４がＨレベルになると、トランジスタＴｒ７は、導通状態となる。トランジスタＴｒ７が導通状態になると、ＳＳ回路出力電圧ＤＴは、基準電圧生成回路Ａ４２ａが出力する電圧を、並列に接続される抵抗素子Ｒ５および抵抗素子Ｒ７と、抵抗素子Ｒ６とで分圧した電圧まで上昇し、エラーアンプ出力電圧ＥＡＯより高い電圧となる。ＳＳ回路出力電圧ＤＴがエラーアンプ出力電圧ＥＡＯより高い電圧になると、コンパレータ４６は、ＳＳ回路出力電圧ＤＴがエラーアンプ出力電圧ＥＡＯ以下のときに出力する誤差信号の値より小さい値の誤差信号を制御回路２２に出力する。
【００９７】
時刻ｔ２にＯＮ／ＯＦＦ信号Ｓ３がＬレベルからＨレベルに変化すると、出力端子１２に接続されるデバイス９は、停止状態から動作状態に変化し、デバイス９が消費する消費電流が急増する。デバイス９の消費電流が急増すると、出力電流ＩＯＵＴも増加する。出力電流ＩＯＵＴが急増したとき、出力電圧ＶＯＵＴは急激に低下し、帰還電圧ＶＦＢが比較電圧ＶＲより低下し、エラーアンプ１３が出力するエラーアンプ出力電圧ＥＡＯも低下する。
【００９８】
したがって、三角波出力電圧ＴｒｉＯｓｃがエラーアンプ出力電圧ＥＡＯより高いときのエラーアンプ出力電圧ＥＡＯと三角波出力電圧ＴｒｉＯｓｃとの差が大きくなるが、ＳＳ回路出力電圧ＤＴがエラーアンプ出力電圧ＥＡＯより高いので、コンパレータ４６が出力する誤差信号の値は、ＳＳ回路出力電圧ＤＴがエラーアンプ出力電圧ＥＡＯ以下の場合に出力される誤差信号の値よりも小さい。したがって、制御回路２２がスイッチ２１に指示するオンデューティが小さく、出力電圧ＶＯＵＴの上昇が抑えられ、出力電圧ＶＯＵＴは、所定の電圧を超えることはなく、オーバーシュートは発生しない。
【００９９】
さらに、時刻ｔ２から時間Ｔ１が経過すると、パルス信号Ｓ４は、ＨレベルからＬレベルに変化し、トランジスタＴｒ７が遮断状態となる。トランジスタＴｒ７が遮断状態になると、ＳＳ回路出力電圧ＤＴは、抵抗素子Ｒ５の抵抗値とコンデンサＣ４の容量とで決まる時定数で緩やかに上昇し、出力電圧ＶＯＵＴは、所定の電圧を超えることはなく、オーバーシュートは発生しない。
【０１００】
基準電圧発生回路Ａ４２ａが出力する電圧は、電源８の電圧が入力端子１１に入力されたとき同時に上昇する。そのとき、コンデンサＣ４の働きでＳＳ回路出力電圧ＤＴも急上昇し、その後ＳＳ回路出力電圧ＤＴは、抵抗素子Ｒ５の抵抗値とコンデンサＣ４の容量とで決まる時定数で緩やかに低下する。したがって、電源８の電圧が入力端子１１に入力されたとき、ＳＳ回路出力電圧ＤＴが第２の非反転入力端子の電圧よりも高くなるので、出力電圧ＶＯＵＴのオーバーシュートを防止することができる。すなわち、ＳＳ回路４５ａの抵抗素子Ｒ５およびコンデンサＣ４は、図１に示した抵抗素子ＲＦおよびコンデンサＣＦからなるオーバーシュート防止用ＲＣフィルタ９２の機能を兼ねているので、ＳＳ回路４５ａを用いることによって、オーバーシュート防止用ＲＣフィルタ９２を用いる必要がない。
【０１０１】
図２０は、レギュレータ回路３２ｂの構成を示す図である。レギュレータ回路３２ｂは、レギュレータ回路３２の詳細な第２の構成例であり、入力端子１１、出力端子１２、エラーアンプ１３、スイッチ２１、制御回路２２、ダイオード２３、チョークコイル２４、基準電圧生成回路Ａ４２ａ、基準電圧生成回路Ｂ４２ｂ、三角波発生回路４４、ＳＳ回路４５ｂ、コンパレータ４６、抵抗素子Ｒ１，Ｒ２、およびコンデンサＣＯＵＴを含んで構成されている。レギュレータ回路３２ｂの構成要素のうち図１８に示したレギュレータ回路３２ａの構成要素と同じものには同じ参照符を付して、重複を避けるために説明は省略する。
【０１０２】
ＳＳ回路４５ｂは、ダイオード４５１、増幅器４５２、トランジスタＴｒ８、抵抗素子Ｒ５〜Ｒ７、およびコンデンサＣ４，Ｃ５を含んで構成されている。増幅器４５２は、ＯＮ／ＯＦＦ信号Ｓ３が入力され、出力がトランジスタＴｒ８のベースに接続されている。トランジスタＴｒ８は、ＮＰＮ型のトランジスタであり、コレクタがコンデンサＣ５の一端に接続され、エミッタがコンパレータ４６の第１の非反転入力端子、コンデンサＣ４の一端、抵抗素子Ｒ５の一端、および一端がグランドに接続される抵抗素子Ｒ６の他端に接続されている。コンデンサＣ５の他端は、ダイオード４５１のカソードに接続されている。ダイオード４５１のアノードは、基準電圧生成回路Ａ４２ａの出力、コンデンサＣ４の他端、および抵抗素子Ｒ５の他端に接続されている。
【０１０３】
図２１は、レギュレータ回路３２ｂの動作を説明するためのタイムチャートである。ＯＮ／ＯＦＦ信号Ｓ３がＬレベルのとき、増幅器４５２の出力は、Ｌレベルであり、トランジスタＴｒ８は、遮断状態である。したがって、ＳＳ回路４５ｂが出力するＳＳ回路出力電圧ＤＴは、基準電圧生成回路Ａ４２ａが出力する電圧を抵抗素子Ｒ５と抵抗素子Ｒ６とで分圧した電圧である。基準電圧生成回路Ａ４２ａが出力する電圧を抵抗素子Ｒ５と抵抗素子Ｒ６とで分圧した電圧は、エラーアンプ１３が出力するエラーアンプ出力電圧ＥＡＯ以下の電圧に設定されている。したがって、コンパレータ４６は、エラーアンプ出力電圧ＥＡＯと三角波出力電圧ＴｒｉＯｓｃとの差を誤差信号として制御回路２２に出力する。
【０１０４】
時刻ｔ２にＯＮ／ＯＦＦ信号Ｓ３がＬレベルからＨレベルに変化すると、増幅器４５２の出力は、Ｈレベルになり、トランジスタＴｒ８は、導通状態となる。トランジスタＴｒ８が導通状態となると、ＳＳ回路出力電圧ＤＴは、基準電圧生成回路Ａ４２ａが出力する電圧よりダイオード４５２の電圧降下、たとえば０．７Ｖ低い電圧まで急峻に上昇し、エラーアンプ出力電圧ＥＡＯより高い電圧となる。ＳＳ回路出力電圧ＤＴは、急峻に上昇した後、抵抗素子Ｒ５の抵抗値とコンデンサＣ４およびコンデンサＣ５の容量とによって決まる時定数で、基準電圧生成回路Ａ４２ａが出力する電圧より０．７Ｖ低い電圧から、抵抗素子Ｒ５と抵抗素子Ｒ６とで分圧した電圧まで低下する。ＳＳ回路出力電圧ＤＴがエラーアンプ出力電圧ＥＡＯより高い電圧である期間、コンパレータ４６は、ＳＳ回路出力電圧ＤＴがエラーアンプ出力電圧ＥＡＯ以下のときに出力する誤差信号の値より小さい値の誤差信号を制御回路２２に出力する。
【０１０５】
時刻ｔ２にＯＮ／ＯＦＦ信号Ｓ３がＬレベルからＨレベルに変化すると、出力端子１２に接続されるデバイス９は、停止状態から動作状態に変化し、デバイス９が消費する消費電流が急増する。デバイス９の消費電流が急増すると、出力電流ＩＯＵＴも増加する。出力電流ＩＯＵＴが急増したとき、出力電圧ＶＯＵＴは急激に低下し、帰還電圧ＶＦＢが比較電圧ＶＲより低下し、エラーアンプ１３が出力するエラーアンプ出力電圧ＥＡＯも低下する。三角波出力電圧ＴｒｉＯｓｃがエラーアンプ出力電圧ＥＡＯより高いときのエラーアンプ出力電圧ＥＡＯと三角波出力電圧ＴｒｉＯｓｃとの差が大きくなるが、ＳＳ回路出力電圧ＤＴがエラーアンプ出力電圧ＥＡＯより高い期間は、コンパレータ４６が出力する誤差信号の値は、ＳＳ回路出力電圧ＤＴがエラーアンプ出力電圧ＥＡＯ以下の場合に出力される誤差信号の値よりも小さい。したがって、制御回路２２がスイッチ２１に指示するオンデューティが小さく、出力電圧ＶＯＵＴの急激な上昇が抑えられ、出力電圧ＶＯＵＴは、所定の電圧を超えることはなく、オーバーシュートは発生しない。
【０１０６】
図２０に示したレギュレータ回路３２ｂでは、トランジスタＴｒ８として、ＮＰＮ型のトランジスタを用いて制御したが、ＰＮＰ型のトランジスタを用いて、ＯＮ／ＯＦＦ信号Ｓ３の極性を反転した信号をベースに入力することによって、ダイオード２３を省略することができる。
【０１０７】
図２２は、本発明の実施の第６の形態であるレギュレータ回路３３の構成を示す図である。電源回路であるレギュレータ回路３３は、シリーズレギュレータであり、入力端子１１、出力端子１２、基準電圧生成回路４２、ＳＳ回路４５、エラーアンプ５１、トランジスタＴｒ１、抵抗素子Ｒ１，Ｒ２、およびコンデンサＣＯＵＴを含んで構成されている。レギュレータ回路３３の構成要素のうち図３に示したレギュレータ回路２０の構成要素、または図１７に示したレギュレータ回路３２の構成要素と同じものには同じ参照符を付して、重複を避けるために説明は省略する。
【０１０８】
ＳＳ回路４５は、ＯＮ／ＯＦＦ信号Ｓ３が入力され、ＳＳ回路出力電圧ＤＴ（以下「ＳＳ回路出力電圧ＶＳＳ」という）を出力する。ＳＳ回路４５は、ＯＮ／ＯＦＦ信号Ｓ３がＬレベルであると、帰還電圧ＶＦＢ以下の電圧のＳＳ回路出力電圧ＶＳＳを出力し、ＯＮ／ＯＦＦ信号Ｓ３がＨレベルであると、帰還電圧ＶＦＢより高い電圧のＳＳ回路出力電圧ＶＳＳを出力する。
【０１０９】
エラーアンプ５１は、第１の非反転入力端子がＳＳ回路４５の出力に接続され、第２の非反転入力端子が抵抗素子Ｒ１と抵抗素子Ｒ２との接続点に接続され、反転入力端子が抵抗素子ＲＦとコンデンサＣＦとの接続点に接続され、出力がトランジスタＴｒ１のベースに接続されている。
【０１１０】
エラーアンプ５１は、第１の非反転入力端子に入力されるＳＳ回路出力電圧ＶＳＳが第２の非反転入力端子に入力される帰還電圧ＶＦＢ以下の場合は、第２の非反転入力端子に入力される帰還電圧ＶＦＢと、反転入力端子に入力される比較電圧ＶＲとの差を増幅した誤差信号を出力する。エラーアンプ５１は、ＳＳ回路出力電圧ＶＳＳが帰還電圧ＶＦＢより高い場合は、ＳＳ回路出力電圧ＶＳＳが帰還電圧ＶＦＢ以下の場合に出力する誤差信号の値より小さい値の誤差信号を出力し、ＳＳ回路出力電圧ＶＳＳが帰還電圧ＶＦＢより高いほど、より小さい値の誤差信号を出力する。トランジスタＴｒ１は、たとえば、ベースに入力される誤差信号の値が小さいほど、出力する電流が小さくなる。
【０１１１】
基準電圧生成回路４２、エラーアンプ５１、トランジスタＴｒ１、抵抗素子Ｒ１，Ｒ２、およびコンデンサＣＯＵＴは、変換部を構成する。基準電圧生成回路４２、ＳＳ回路４５およびコンパレータ５１は、変換抑止部を構成する。
【０１１２】
図２３は、レギュレータ回路３３ａの構成を示す図である。図２４は、レギュレータ回路３３ａの動作を説明するためのタイムチャートである。レギュレータ回路３３ａは、レギュレータ回路３３の詳細な第１の構成例であり、入力端子１１、出力端子１２、基準基準電圧生成回路Ａ４２ａ、基準電圧生成回路Ｂ４２ｂ、ＳＳ回路４５ａ、エラーアンプ５１、トランジスタＴｒ１、抵抗素子Ｒ１，Ｒ２、およびコンデンサＣＯＵＴを含んで構成されている。レギュレータ回路３３ａの構成要素のうち図１８に示したレギュレータ回路３２ａの構成要素、または図２２に示したレギュレータ回路３３の構成要素と同じものには同じ参照符を付して、重複を避けるために説明は省略する。
【０１１３】
ＯＮ／ＯＦＦ信号Ｓ３がＬレベルのとき、Ｏｎｅ  Ｓｈｏｔ  Ｐｕｌｓｅ生成回路１６１が出力するパルス信号Ｓ４は、Ｌレベルであり、トランジスタＴｒ７は、遮断状態である。したがって、ＳＳ回路４５ａが出力するＳＳ回路出力電圧ＶＳＳは、基準電圧生成回路Ａ４２ａが出力する電圧を抵抗素子Ｒ５と抵抗素子Ｒ６とで分圧した電圧である。基準電圧生成回路Ａ４２ａが出力する電圧を抵抗素子Ｒ５と抵抗素子Ｒ６とで分圧した電圧は、帰還電圧ＶＦＢ以下の電圧に設定されている。したがって、コンパレータ４６は、帰還電圧ＶＦＢと比較電圧ＶＲとの差を誤差信号として制御回路２２に出力する。
【０１１４】
時刻ｔ２にＯＮ／ＯＦＦ信号Ｓ３がＬレベルからＨレベルに変化すると、パルス信号Ｓ４は、パルス幅Ｔ１のＨレベルのパルスを出力する。パルス信号Ｓ４がＨレベルになると、トランジスタＴｒ７は、導通状態となる。トランジスタＴｒ７が導通状態となると、ＳＳ回路出力電圧ＶＳＳは、基準電圧生成回路Ａ４２ａが出力する電圧を、並列に接続される抵抗素子Ｒ５および抵抗素子Ｒ７と、抵抗素子Ｒ６とで分圧した電圧まで上昇し、帰還電圧ＶＦＢより高い電圧となる。ＳＳ回路出力電圧ＶＳＳが帰還電圧ＶＦＢより高い電圧になると、コンパレータ４６は、ＳＳ回路出力電圧ＶＳＳが帰還電圧ＶＦＢ以下のときに出力する誤差信号の値より小さい値の誤差信号をトランジスタＴｒ１のベースに出力する。
【０１１５】
時刻ｔ２にＯＮ／ＯＦＦ信号Ｓ３がＬレベルからＨレベルに変化すると、出力端子１２に接続されるデバイス９は、停止状態から動作状態に変化し、デバイス９が消費する消費電流が急増する。デバイス９の消費電流が急増すると、出力電流ＩＯＵＴも増加する。出力電流ＩＯＵＴが急増したとき、出力電圧ＶＯＵＴは急激に低下し、帰還電圧ＶＦＢも低下するので、帰還電圧ＶＦＢが比較電圧ＶＲより低い電圧となる。帰還電圧ＶＦＢと比較電圧ＶＲとの差が大きくなるが、ＳＳ回路出力電圧ＶＳＳが帰還電圧ＶＦＢより高いので、コンパレータ４６が出力する誤差信号の値は、ＳＳ回路出力電圧ＶＳＳが帰還電圧ＶＦＢ以下の場合に出力される誤差信号の値よりも小さい。したがって、トランジスタＴｒ１が出力する電流が小さく、出力電圧ＶＯＵＴの急激な上昇が抑えられ、出力電圧ＶＯＵＴは、所定の電圧を超えることはなく、オーバーシュートは発生しない。
【０１１６】
さらに、時刻ｔ２から時間Ｔ１が経過すると、パルス信号Ｓ４は、ＨレベルからＬレベルに変化し、トランジスタＴｒ７が遮断状態となる。トランジスタＴｒ７が遮断状態になると、ＳＳ回路出力電圧ＶＳＳは、抵抗素子Ｒ５の抵抗値とコンデンサＣ４の容量とで決まる時定数で上昇し、出力電圧ＶＯＵＴは、所定の電圧を超えることはなく、オーバーシュートは発生しない。
【０１１７】
図２５は、レギュレータ回路３３ｂの構成を示す図である。図２６は、レギュレータ回路３３ｂの動作を説明するためのタイムチャートである。レギュレータ回路３３ｂは、レギュレータ回路３３の詳細な第２の構成例であり、入力端子１１、出力端子１２、基準電圧生成回路Ａ４２ａ、基準電圧生成回路Ｂ４２ｂ、ＳＳ回路４５ｂ、エラーアンプ５１、トランジスタＴｒ１、抵抗素子Ｒ１，Ｒ２、およびコンデンサＣＯＵＴを含んで構成されている。レギュレータ回路３３ｂの構成要素のうち図２０に示したレギュレータ回路３２ｂの構成要素、または図２２に示したレギュレータ回路３３の構成要素と同じものには同じ参照符を付して、重複を避けるために説明は省略する。
【０１１８】
ＯＮ／ＯＦＦ信号Ｓ３がＬレベルのとき、増幅器４５２の出力は、Ｌレベルであり、トランジスタＴｒ８は、遮断状態である。したがって、ＳＳ回路４５ｂが出力するＳＳ回路出力電圧ＶＳＳは、基準電圧生成回路Ａ４２ａが出力する電圧を抵抗素子Ｒ５と抵抗素子Ｒ６とで分圧した電圧である。基準電圧生成回路Ａ４２ａが出力する電圧を抵抗素子Ｒ５と抵抗素子Ｒ６とで分圧した電圧は、帰還電圧ＶＦＢ以下の電圧に設定されている。したがって、コンパレータ４６は、帰還電圧ＶＦＢと比較電圧ＶＲとの差を誤差信号としてトランジスタＴｒ１のベースに出力する。
【０１１９】
時刻ｔ２にＯＮ／ＯＦＦ信号Ｓ３がＬレベルからＨレベルに変化すると、増幅器４５２の出力は、Ｈレベルになり、トランジスタＴｒ８は、導通状態となる。トランジスタＴｒ８が導通状態となると、ＳＳ回路出力電圧ＶＳＳは、基準電圧生成回路Ａ４２ａが出力する電圧よりダイオード４５２の電圧降下、たとえば０．７Ｖ低い電圧まで急峻に上昇し、帰還電圧ＶＦＢより高い電圧となる。ＳＳ回路出力電圧ＶＳＳは、急峻に上昇した後、抵抗素子Ｒ５の抵抗値と、コンデンサＣ４およびコンデンサＣ５の容量とによって決まる時定数で、基準電圧生成回路Ａ４２ａが出力する電圧より０．７Ｖ低い電圧から、基準電圧生成回路Ａ４２ａが出力する電圧を抵抗素子Ｒ５と抵抗素子Ｒ６とで分圧した電圧まで緩やかに低下する。
【０１２０】
ＳＳ回路出力電圧ＶＳＳが帰還電圧ＶＦＢより高い電圧である期間、コンパレータ４６は、ＳＳ回路出力電圧ＶＳＳが帰還電圧ＶＦＢ以下のときに出力する誤差信号の値より小さい値の誤差信号をトランジスタＴｒ１のベースに出力する。
【０１２１】
時刻ｔ２にＯＮ／ＯＦＦ信号Ｓ３がＬレベルからＨレベルに変化すると、出力端子１２に接続されるデバイス９は、停止状態から動作状態に変化し、デバイス９が消費する消費電流が急増する。デバイス９の消費電流が急増すると、出力電流ＩＯＵＴも増加する。出力電流ＩＯＵＴが急増したとき、出力電圧ＶＯＵＴは急激に低下し、帰還電圧ＶＦＢが比較電圧ＶＲより低い電圧となる。帰還電圧ＶＦＢと比較電圧ＶＲとの差が大きくなるが、ＳＳ回路出力電圧ＶＳＳが帰還電圧ＶＦＢより高い期間は、コンパレータ４６が出力する誤差信号の値は、ＳＳ回路出力電圧ＶＳＳが帰還電圧ＶＦＢ以下の場合に出力される誤差信号の値よりも小さい。したがって、トランジスタＴｒ１が出力する電流が小さく、出力電圧ＶＯＵＴの急激な上昇が抑えられ、出力電圧ＶＯＵＴは、所定の電圧を超えることはなく、オーバーシュートは発生しない。
【０１２２】
このように、入力端子１１によって、電源８の電圧が入力され、負荷が接続される出力端子１２によって、接続される負荷に電圧が出力される。変換部、具体的には、レギュレータ回路３２の場合は、エラーアンプ１３、スイッチ２１、制御回路２２、ダイオード２３、チョークコイル２４、基準電圧生成回路４２、三角波発生回路４４、コンパレータ４６、抵抗素子Ｒ１，Ｒ２、およびコンデンサＣＯＵＴ、レギュレータ回路３３の場合は、基準電圧生成回路４２、エラーアンプ５１、トランジスタＴｒ１、抵抗素子Ｒ１，Ｒ２、およびコンデンサＣＯＵＴによって、予め定める目標電圧、たとえば５Ｖの電圧と出力端子１２から出力される出力電圧との差に基づいて、入力端子１１に入力された電圧が予め定める目標電圧に一致するように変換され、変換された電圧が出力端子１２から出力される。そして、変換抑止部、具体的には、レギュレータ回路３２の場合は、基準電圧生成回路４２、ＳＳ回路４５およびコンパレータ４６、レギュレータ回路３３の場合は、基準電圧生成回路４２、ＳＳ回路４５およびコンパレータ５１によって、負荷が消費する消費電流が増加したとき、消費電流が増加する時点から少なくとも予め定める抑止期間、たとえばパルス幅Ｔ１の期間あるいは抵抗素子Ｒ５の抵抗値とコンデンサＣ４の容量とで決まる時定数の時間、前記変換部による変換が抑止される。
【０１２３】
したがって、出力電圧を目標電圧に一致させるまでの時間を予め定める抑止時間、たとえばパルス幅Ｔ１の期間あるいは抵抗素子Ｒ５の抵抗値とコンデンサＣ４の容量とで決まる時定数の時間以上とすることによって、消費電流が急激に増加した直後電圧が極端に低下した出力電圧が目標電圧に一致するまでの時間を遅くしているので、出力電圧の急峻な上昇を抑止することができ、出力電圧のオーバーシュートを防止することができる。
【０１２４】
上述した実施の各形態では、トランジスタＴｒ１〜ＴＲ５，ＴＲ７，ＴＲ８をバイポーラトランジスタによって構成したが、電界効果トランジスタ（以下「ＦＥＴ」という）によって構成してもよい。たとえばＮＰＮ型のバイポーラトランジスタの場合はＮチャネルのＭＯＳ（Metal Oxide Semiconductor）ＦＥＴを用い、ＰＮＰ型のバイポーラトランジスタの場合はＰチャネルのＭＯＳＦＥＴを用いることができる。
【０１２５】
レギュレータ回路１０，２０，３０〜３３などの電源回路は、電子機器たとえばナビゲーション装置、オーディオ機器、あるいはビデオ機器などに用いることができる。電子機器は、レギュレータ回路１０，２０，３０〜３３のうちのいずれかの電源回路を備えることによって、電源回路の電源投入時、および電子機器の電源投入時などに発生する過電圧が電子機器に印加されることを防止することができる。
【０１２６】
このように、電子機器は、レギュレータ回路１０，２０，３０〜３３のうちのいずれかの電源回路を備えているので、負荷の消費電流が急増しても、負荷に過電圧が印加されることがなく、電子機器を過電圧から保護することができる。
【符号の説明】
【０１２７】
８  電源
９  デバイス
１０，２０，３０〜３３  レギュレータ回路
１１  入力端子
１２  出力端子
１３，５１  エラーアンプ
１４，４２，４２ａ，４２ｂ  基準電圧生成回路
１５  電流検出回路
１６，１６ａ〜１６ｄ  基準電圧一定期間低下回路
２１，４１  スイッチ
２２，９１  制御回路
２３，１６７，４５１  ダイオード
２４  チョークコイル
４４  三角波発振器
４５，４２ａ，４５ｂ  ＳＳ回路
４６，１６４  コンパレータ
９２  フィルタ
１６１，１６１ａ  Ｏｎｅ  Ｓｈｏｔ  Ｐｕｌｓｅ生成回路
１６２，４５２  増幅器
１６３  基準電圧源
１６５  インバータ
１６６  論理積回路
Ｃ１〜Ｃ５，ＣＦ，ＣＯＵＴ  コンデンサ
Ｒ１〜Ｒ７，ＲＦ  抵抗素子
Ｔｒ１〜ＴＲ５，ＴＲ７，ＴＲ８  トランジスタ
【図１】
2010246294.tif 000003
【図２】
2010246294.tif 000004
【図３】
2010246294.tif 000005
【図４】
2010246294.tif 000006
【図５】
2010246294.tif 000007
【図６】
2010246294.tif 000008
【図７】
2010246294.tif 000009
【図８】
2010246294.tif 000010
【図９】
2010246294.tif 000011
【図１０】
2010246294.tif 000012
【図１１】
2010246294.tif 000013
【図１２】
2010246294.tif 000014
【図１３】
2010246294.tif 000015
【図１４】
2010246294.tif 000016
【図１５】
2010246294.tif 000017
【図１６】
2010246294.tif 000018
【図１７】
2010246294.tif 000019
【図１８】
2010246294.tif 000020
【図１９】
2010246294.tif 000021
【図２０】
2010246294.tif 000022
【図２１】
2010246294.tif 000023
【図２２】
2010246294.tif 000024
【図２３】
2010246294.tif 000025
【図２４】
2010246294.tif 000026
【図２５】
2010246294.tif 000027
【図２６】
2010246294.tif 000028